(57)【特許請求の範囲】
【請求項１】
シャワーヘッド又は吐水管から成る吐水部の内部に吐水口に連通する状態で主水路を形成するとともに、該主水路を開閉する主弁の作動制御用の小流路から成るパイロット水路を形成し、パイロット弁により該パイロット水路を開閉することによって前記吐水口からの吐止水を行うようになした吐水装置において、
前記主水路の流量を調節する流量調節弁を設けるとともに前記吐水部に、前記パイロット弁を開閉操作する吐止水操作部と該流量調節弁を操作して該吐水口からの吐水流量を調節する流調操作部とを手元操作部として設け、且つ該流量調節弁は、該流調操作部で流量を最も絞った状態でも前記吐水口から最低吐水量で吐水させるものとなしてあることを特徴とする吐水装置。
【請求項２】
請求項１に記載の吐水装置において、前記パイロット弁及び流量調節弁が前記吐水部の内部に組み込んであることを特徴とする吐水装置。
【請求項３】
請求項１，２の何れかに記載の吐水装置において、前記シャワーヘッド又は吐水管に接続されたシャワーホース又は通水路より上流部の前記主水路内に前記主弁が組み込んであり、該主弁の配設部位から前記パイロット弁の配設部位まで該シャワーホース又は通水路内部を細管が延び出していて、該細管内に前記パイロット水路が形成されていることを特徴とする吐水装置。
【請求項４】
請求項３に記載の吐水装置において、前記シャワーホース又は通水路より上流部の前記主水路内に且つ前記主弁より上流側に、下流部分を給水圧に対し減圧状態とする減圧弁が組み込んであることを特徴とする吐水装置。
【請求項５】
請求項４に記載の吐水装置において、前記減圧弁が前記主弁とともに前記シャワーホースに接続された継手管の内部に組み込んであることを特徴とする吐水装置。
【発明の詳細な説明】
【０００１】
【発明の属する技術分野】
この発明は吐水装置に関し、詳しくは吐止水操作部及び流調操作部を手元操作部として備えた吐水装置に関する。
【０００２】
【従来の技術及び発明が解決しようとする課題】
近年、キッチン水栓として吐水管の先端部をシャワーヘッドとして構成し、これをシャワーホースとともに引き出して吐水口から吐水可能となしたものが用いられるようになって来ている。
或いはまた、洗面化粧室に備えられる洗髪シャワー水栓においても同様の形態のものが用いられている。
【０００３】
一方浴室においては、従来より水栓本体からシャワーホースを延び出させてその先端にシャワーヘッドを接続し、水栓本体から供給した水をシャワーヘッドよりシャワー吐水するようになしたものが広く用いられている。
【０００４】
ところでこれらの吐水装置の場合、シャワーヘッドを自在に目的の位置に持ち来して吐水することができ、吐水位置がほぼ固定の他の従来一般の吐水装置に比べて利便性が高いものの、反面において吐水口からの吐水・止水（吐止水）を行うための吐止水操作部及び吐水口からの吐水流量調節のための流調操作部がシャワーヘッドから遠い位置にあるため、それらの操作がし辛いといった問題があった。
【０００５】
そこで例えば浴室の吐水装置において、シャワーヘッドに手元操作部として吐止水操作部を設けるといったことが行われている。
図１６はその一例を示したものである。同図において３００はシャワーヘッド、３０２は継手管で、それらに対し所定長さの可撓性のシャワーホース３０４の各端部が接続されている。
継手管３０２は接続口３０６を有していて、その接続口３０６において水栓本体に接続され、水栓本体からの水がシャワーホース３０４内部の主水路３０８及びシャワーヘッド３００内部の主水路３０８を通じてシャワーヘッド３００の吐水口へと供給される。
【０００６】
シャワーヘッド３００には手元操作部として吐止水操作部３１０が設けられており、その吐止水操作部３１０の操作によって主水路３０８を開閉する主弁３１２が開閉動作するようになっている。
【０００７】
詳しくは、シャワーホース３０４及びシャワーヘッド３００の内部には可撓性のチューブ３１４が挿通されていてその内部にパイロット水路３１６が形成されており、吐止水操作部３１０を図１６に示す状態から右向きに押込操作すると、軸３１８の右向きの移動及びこれに伴うボール３２０の下向きの押出しによってパイロット弁３２２が弁座３２４から離れて開弁し、パイロット水路３１６内部の水をシャワーヘッド３００内部の主水路３０８に流出させる。
【０００８】
すると主弁３１２の背面側に形成された背圧室３２６（この背圧室３２６はパイロット水路３１６に連通している）内部の圧力が低下し、主弁３１２が給水圧により図中上向きに開弁動作する。
ここにおいてシャワーホース３０４内の主水路３０８に水栓本体側からの水が供給される。供給された水はシャワーヘッド３００内部の主水路３０８を流通した後、先端の吐水口から吐水される。
【０００９】
一方吐止水操作部３１０を左向きに押込操作して図１６に示す状態に戻すと、ここにおいてパイロット弁３２２が閉弁し、これによって背圧室３２６内部の圧力が漸次高まって最終的に主弁３１２が閉弁し、吐水口への水の供給が停止する。
【００１０】
この図１６に示す吐水装置にあっては、シャワーヘッド３００を手に持った状態で吐止水操作部３１０を手元操作することにより吐水口からの吐止水を行うことができ、しかもその吐止水操作部３１０はパイロット水路３１６を開閉するものであるため、小さい力で楽に操作でき、この点で利便性の高いものであるが、この吐水装置にあっては、吐水口からの流量を調節する場合にはシャワーヘッド３００から遠く離れた水栓本体の流調操作部を操作しなければならず、利便性の点で未だ十分とは言えないものである。
【００１１】
図１７は別の従来例を示したもので、この例のものはシャワーヘッド３００に設けた吐止水操作部３２８の操作摘み３３０を回転操作することで弁体３３２を軸方向に移動させ、そしてこれを弁座３３４に当接させ或いは離間させることによって主水路３０８を開閉し、吐水口３３６からの吐水及び止水を行うようになしたものである。
尚この例の吐水装置の場合、弁体３３２を閉弁させるとシャワーホース３０４の上流部に配設してある主弁３１２も閉弁する。
【００１２】
この例の吐水装置にあっても、シャワーヘッド３００を手に持ちながら手元操作により吐止水を行うことができる。
しかしながらこの吐水装置の場合、手元操作部としての吐止水操作部３２８が、大流量で水を流通させる主水路３０８を直接開閉するものであることから操作が重くなる問題があり、更にまた吐止水操作部３２８の操作によって弁体３３２を閉弁させると、それより上流側のシャワーヘッド３００内部及びシャワーホース３０４内部に一定の圧力が篭ったものとなってしまう問題があり、更に吐水口３３６近くまで水が溜まったまま止水状態に保持されることとなるため、その滞留水内部で雑菌が発生・繁殖する恐れがあるといった不都合がある。
【００１３】
以上シャワー装置を例として説明したが、長い吐水管の先端の吐水口から吐水を行う通常のキッチン水栓等の水栓装置（吐水装置）においても大なり小なり同様の問題が内在する。
【００１４】
【課題を解決するための手段】
本発明の吐水装置はこのような課題を解決するために案出されたものである。
而して請求項１のものは、シャワーヘッド又は吐水管から成る吐水部の内部に吐水口に連通する状態で主水路を形成するとともに、該主水路を開閉する主弁の作動制御用の小流路から成るパイロット水路を形成し、パイロット弁により該パイロット水路を開閉することによって前記吐水口からの吐止水を行うようになした吐水装置において、前記主水路の流量を調節する流量調節弁を設けるとともに前記吐水部に、前記パイロット弁を開閉操作する吐止水操作部と該流量調節弁を操作して該吐水口からの吐水流量を調節する流調操作部とを手元操作部として設け、且つ該流量調節弁は、該流調操作部で流量を最も絞った状態でも前記吐水口から最低吐水量で吐水させるものとなしてあることを特徴とする。
【００１５】
請求項２のものは、請求項１に記載の吐水装置において、前記パイロット弁及び流量調節弁が前記吐水部の内部に組み込んであることを特徴とする。
【００１６】
請求項３のものは、請求項１，２の何れかに記載の吐水装置において、前記シャワーヘッド又は吐水管に接続されたシャワーホース又は通水路より上流部の前記主水路内に前記主弁が組み込んであり、該主弁の配設部位から前記パイロット弁の配設部位まで該シャワーホース又は通水路内部を細管が延び出していて、該細管内に前記パイロット水路が形成されていることを特徴とする。
【００１７】
請求項４のものは、請求項３に記載の吐水装置において、前記シャワーホース又は通水路より上流部の前記主水路内に且つ前記主弁より上流側に、下流部分を給水圧に対し減圧状態とする減圧弁が組み込んであることを特徴とする。
【００１８】
請求項５のものは、請求項４に記載の吐水装置において、前記減圧弁が前記主弁とともに前記シャワーホースに接続された継手管の内部に組み込んであることを特徴とする。
【００１９】
【作用及び発明の効果】
上記のように請求項１の吐水装置は、パイロット弁によりパイロット水路を開閉して主弁の開閉動作を制御する形式の吐水装置において、主水路の流量を調節する流量調節弁を設けるとともに、シャワーヘッド又は吐水管から成る吐水部に、パイロット弁を開閉操作する吐止水操作部と流量調節弁を操作する流調操作部とを手元操作部として設けたもので、この吐水装置の場合、吐水口からの吐止水のみならず流量調節をも手元操作することができ、吐水装置の利便性を飛躍的に高めることができる。
【００２０】
またこの吐水装置は上記のようにパイロット弁の開閉により主弁を開閉動作させる形式のものであって、吐止水操作部はそのパイロット弁を開閉操作するものであることから、小さい力で軽やかに吐止水操作を行うことができる。
【００２１】
ここで上記パイロット弁及び流量調節弁はシャワーヘッド又は吐水管内部、即ち吐水部の内部に組み込んでおくことができる（請求項２）。
このようにすれば、吐止水操作部及び流調操作部の近くに対応する各弁が位置することとなり、各操作部及び弁の構造を簡単な構造とすることができ、併せて組付性も良好となる。
【００２２】
請求項３の吐水装置は、主弁の配設部位からパイロット弁の配設部位まで細管を延び出させてパイロット水路を形成し、パイロット弁によりそのパイロット水路を閉鎖することで主弁を閉鎖するため、止水状態においてシャワーホース又は通水路内の主水路を大気開放状態とすることができ、従ってシャワーホース又は通水路の主水路内に圧力が篭ったり水が滞留してしまうといったことを良好に回避することができる。
【００２３】
請求項４のものは、シャワーホース又は通水路より上流部の主水路内に且つ上記主弁より上流側に、下流部分を給水圧に対し減圧状態とする減圧弁を組み込んだもので、この吐水装置にあっては、主弁を開いた状態のままで流調操作部の操作により流量調節弁を操作したとき、詳しくは流量を少なく絞り込んだときに給水圧によりシャワーホース等の内部の圧力が過大となってシャワーホース部分が硬くなってしまうのを防ぐことができる。
流量を絞ることによって下流部分が圧力上昇すると減圧弁が主水路を絞り又は閉弁して下流部分の主水路の圧力を給水圧に対し減圧状態に保持するからである。
従って主弁を開いた状態の下で流量を絞った場合においてもシャワーホース等に大きな圧力が篭ってしまうのを良好に回避することができる。
【００２４】
請求項５のものは、上記主弁と減圧弁とをシャワーホースに接続された継手管の内部に組み込んだもので、このようにしておけば従来の水栓本体を何ら改変する必要がなく、また吐水装置の組付性も良好となる。
【００２５】
【実施例】
次に本発明の実施例を図面に基づいて詳しく説明する。
図１，図２は本発明の吐水装置の一例としてのキッチンの水栓装置を示したものである。
図中１０はキッチンカウンターで、１２はシンクである。
１４はキッチンカウンター１０から起立する状態で設けられた吐水管で、その先端部がシャワーヘッド１６として構成されている。
【００２６】
このシャワーヘッド１６には、吐水口１８からの吐水をシャワー吐水から整流吐水に若しくはその逆に切替操作する切替操作部２０が備えられている。
更にまたこのシャワーヘッド１６には、吐水口１８からの吐水と止水を行うための吐止水操作部２２及び吐水口１８からの吐水流量を調節する流調操作部２４が備えられている。
【００２７】
２６はキッチンカウンター１０に取り付けられた湯水の混合部（水栓本体）で、水と湯の供給管２８が接続されており、それらを通じて水及び湯が内部に供給されるようになっている。
この混合部２６には水と湯の混合比率を調節する温調操作部３０が設けられており、この温調操作部３０がキッチンカウンター１０の上面に露出している。
【００２８】
上記シャワーヘッド１６にはシャワーホース３２が接続されており、このシャワーホース３２がキッチンカウンター１０の下側において上記混合部２６に接続されている。
尚、図２に示しているようにシャワーホース３２の端部には継手管３４が接続されており、この継手管３４が混合部２６の接続口に差込状態で連結されている。
【００２９】
シャワーヘッド１６及びシャワーホース３２の内部には、図３に示しているように大流量で水を流通させる主水路３６が形成されており、その主水路３６に沿ってその中心部に可撓性のチューブ３８が挿入配置されている。
チューブ３８は、その一端部が継手管３４内部に組み込まれたピストン式の主弁４２にパイプ４０を介して接続されている。
【００３０】
主弁４２はその内部に水路を有しており、この主弁４２，パイプ４０及びチューブ３８内部の水路によって、主弁４２の背面側に形成された背圧室４４に連通するパイロット水路４６が形成されている。
ここで背圧室４４は小孔４７を介して主水路３６の上流部、詳しくは背圧室４４の上流部に連通している。
【００３１】
主弁４２はピストン部４８を有していて、そのピストン部４８が円筒形の摺動面５０に摺動可能に嵌合されており、そして先端側の当接部５２が継手管３４に形成された弁座５４に当接し又はこれから離間することによって、主水路３６を閉鎖し又は開放する。
【００３２】
継手管３４の内部にはまた、主弁４２より上流側、詳しくは主弁４２による主水路３６の開閉部位よりも上流側にピストン式の減圧弁５６が組み込まれている。
減圧弁５６は大径のピストン部５８を有しており、そのピストン部５８が円筒形の摺動面６０に摺動可能に嵌合されている。
【００３３】
この減圧弁５６はその下流部分、詳しくは主水路３６における減圧弁５６の配設部位よりも下流部分の圧力が上昇して一定圧に達したとき、上流部と下流部とに対する受圧面積の差によって図中下向きに押動され、図８に拡大して示しているようにその当接部６６を弁座６２に接近させ又は当接させることによって、主水路３６を主弁４２の上流側で絞り又は閉鎖する。
【００３４】
即ち減圧弁５６は、弁座６２への接近又は当接によって主水路３６を絞り又は閉鎖し、以て下流側の主水路３６内の圧力をその上流側（一次側）の給水圧よりも低い圧力状態（減圧状態）に保つ働きをする。
尚この減圧弁５６は、スプリング６４により常時開弁方向に付勢されている。
また継手管３４の端部にはねじ式の接続口６８が設けられている。
【００３５】
シャワーヘッド１６には、円筒形状のスプール弁から成る流量調節弁７０が、流調操作部２４と一体回転する状態で組み込まれている。
この流量調節弁７０は主水路３６の水の流量を調節するもので、周方向に略楔状をなす開口７２、即ち周方向に進むにつれて開口幅が漸次変化する開口７２を有している。
一方シャワーヘッド１６（厳密にはシャワーヘッド１６における本体側）には、主水路３６と吐水口１８とを連通させる円形の開口７４が形成されている。
【００３６】
本例において、主水路３６からの水はそれら開口７２，７４を経て吐水口１８へと流れ出す。
従って図１１及び図１２に示しているように流量調節弁７０が流調操作部２４とともに回転して開口７２の位置が変化することで、吐水口１８からの吐水流量が大→小へ若しくはその逆に変化せしめられる。
【００３７】
上記吐止水操作部２２は、この例では押ボタン式のもので図４にも示しているように逆カップ状をなす操作部材７６と、操作部材７６を押し込むごとにパイロット水路４６を開閉するためのパイロット弁７８を閉弁位置と開弁位置とに交互に保持するロック機構８０とを有している。
【００３８】
尚、パイロット弁７８は軸状の当接部８２を有しており、その当接部８２がチューブ３８端部の装着部材８４（図１０参照）の弁座８６に当接することによってパイロット水路４６を閉鎖し（図４(Ａ)参照）、また弁座８６から離間することによってパイロット水路４６を開放する（図４(Ｂ)参照）。
【００３９】
本例において、ロック機構８０はスラストロック式のもので外筒８８と、その内周面に突出する状態で形成された円筒形状のガイド部９０（図９参照）とを有している。
ガイド部９０は、上端面に沿って周方向に鋸刃状の係合歯９２を有しており、更に周方向に沿って所定間隔ごとに複数の溝９４を有している。
【００４０】
一方、パイロット弁７８には大径の固定リング９６と回転リング９８とが設けられている。
回転リング９８は軸部１００の周りに回転可能とされており、更に軸部１００に設けられたストッパ部１０２と固定リング９６との間で微小ストローク上下に相対移動可能とされている。
【００４１】
固定リング９６の外周面には周方向に一定間隔で突起１０４が設けられており、その上端に係合歯１０６が形成されている。
他方、回転リング９８にも周方向に沿って一定間隔ごとに突起１０８が設けられており、そしてそれら突起１０８を含む回転リング９８下端部に、周方向に沿って鋸刃状の係合歯１１０が形成されている。
【００４２】
尚、図３，図４に示しているようにパイロット弁７８は回転リング９８の上面においてスプリング１１２により常時下向きに付勢されており、またロック機構８０の外筒８８はスプリング１１４により常時上向きに付勢されている。
【００４３】
この例のスラストロック式のロック機構８０は次のように作用する。
図９(Ｂ)(Ｉ)はパイロット弁７８がチューブ３８端部の装着部材８４の弁座８６に当接した状態、即ちパイロット水路４６を閉鎖した状態を示している。
【００４４】
この状態において操作部材７６及びロック機構８０の外筒８８をスプリング１１２及び１１４の付勢力に抗して下向きに押し込むと、図９(Ｂ)(II)に示しているようにパイロット弁７８の回転リング９８がガイド部９０の溝９４から外れた状態となり、ここにおいて回転リング９８が、固定リング９６側の突起１０４の係合歯１０６と回転リング９８側の係合歯１１０のカム面の作用で微小角度反時計方向に回転させられる。
【００４５】
その後押込力を除くと、スプリング１１４の付勢力でガイド部９０が外筒８８とともに上昇運動し、このときガイド部９０の上端の係合歯９２と回転リング９８の係合歯１１０とが一部噛み合った状態となる。
【００４６】
更にガイド部９０が上向きに押し上げられると、回転リング９８が固定リング９６から浮き上がるとともにそれら係合歯９２，１１０のカム面の作用で回転リング９８が更に微小角度反時計方向に回転させられてガイド部９０の係合歯９２と回転リング９８の係合歯１１０とが完全に噛み合った状態となり（図９(Ｂ)(III)参照）、これとともに回転リング９８とストッパ部１０２との当接作用で回転リング９８，固定リング９６を含むパイロット弁７８全体が上昇端まで上昇させられてその上昇端に保持される。即ちパイロット弁７８が開弁位置に保持される。
ここにおいてパイロット水路４６が開放状態とされてピストン式の主弁４２が開かれ、主水路３６内を水が流通する。
【００４７】
さて再び操作部材７６を押込操作すると、これとともにロック機構８０の外筒８８及びガイド部９０が下向きに移動し、ここにおいて回転リング９８の係合歯１１０とガイド部９０の係合歯９２との噛合いが外れるとともに、スプリング１１２の付勢力でパイロット弁７８における固定リング９６の係合歯１０６と回転リング９８の係合歯１１０とが接触し（図９(Ｂ)(IV)，(Ｖ)参照）、更にガイド部９０が下降して回転リング９８が自由回転状態になると、固定リング９６及び回転リング９８の各係合歯１０６，１１０のカム面の作用により回転リング９８が微小角度反時計方向に回転させられ、そしてそれら係合歯１０６及び１１０が完全に噛み合ったところで回転リング９８の回転が停止する（図９(Ｂ)(VI)参照）。
【００４８】
その後操作力を除くことによって、（VII）に示しているようにガイド部９０がスプリング１１４の付勢力で上向きに移動すると、回転リング９８が浮き上がった後、ガイド部９０の係合歯９２と回転リング９８の係合歯１１０とのカム面の作用で回転リング９８が微小角度回転した上で、回転リング９８の突起１０８が固定リング９６の突起１０４とともにガイド部９０の溝９４に嵌り合い、続いてスプリング１１２及び１１４の付勢力でそれら突起１０４，１０８が外筒８８の上昇運動を伴って溝９４の底部まで落ち込む（図９(Ｂ)(VIII)参照）。ここにおいてパイロット弁７８が再びパイロット水路４６を閉鎖した状態となる。
尚このロック機構自体は従来公知であるのでここでは更に詳しい説明は省略する。
【００４９】
尚、図４に示しているようにパイロット弁７８と主水路３６との間のシールは、主水路３６の端部に設けられたプラグ１１６（図１０参照）内周面のパッキンによって行われている。
【００５０】
本例の吐水装置の場合、吐止水操作部２２を押込操作すると、パイロット弁７８が図３に示す閉弁状態から図５に示すように開弁動作し、ここにおいてパイロット水路４６が開かれ、続いて主弁４２が開弁動作する。
これによりシャワーヘッド１６の先端部まで水が主水路３６を通じて供給され、続いて流量調節弁７０，シャワーヘッド１６の開口７２，７４を通じた後、吐水口１８から吐水される。
図６はこのときの状態を示している。
【００５１】
尚、図６の状態では流量調節弁７０がいっぱいまで開かれており、吐水口１８からは最大流量で水が吐水される。
さてこの状態で流調操作部２４を回転操作し開口７２を漸次狭めて行くと、これに伴って吐水口１８からの吐水流量が減少変化する（図７(Ｉ)参照）。
【００５２】
図７（II）は吐水口１８からの吐水流量を最も絞った状態を表している。
このような状態の下では、上記減圧弁５６を設けておかないとシャワーヘッド１６先端部まで、詳しくは主水路３６の先端部まで一次給水圧が導かれてシャワーホース３２内に大きな圧力が篭った状態となってしまい、またこれに伴ってシャワーホース３２が硬くなってしまい、自由に曲り難くなる。
【００５３】
しかるに本例の吐水装置においては主弁４２の上流側に減圧弁５６が設けられており、その減圧弁５６の配設部位よりも下流部分の主水路３６内部の圧力が高まって来ると、即ちシャワーホース３２内部の圧力が上昇してくるとその減圧弁５６が閉弁方向に動作して主水路３６を絞り又は減圧弁５６の上流部と下流部とで遮断する。
【００５４】
これにより減圧弁５６よりも下流側の主水路３６内部の圧力が給水圧に対し一定圧低い減圧状態に保たれ、従って主弁４２を開いた状態の下で流量を絞った場合においても、シャワーホース３２内部に過大な圧力が篭ってシャワーホース３２が硬くなってしまうのが有効に防止される。
【００５５】
また本例の吐水装置では主弁４２がシャワーホース３２よりも上流部に配設してあるため、更には吐止水操作部２２の止水操作によりパイロット水路４６を閉鎖することでその主弁４２を閉弁させ、これにより吐水口１８からの吐水を止めるようにしているため、止水状態においてその主弁４２よりも下流側の主水路３６内部全体を大気開放状態とすることができ、シャワーホース３２及びシャワーヘッド１６内の主水路３６内に圧力が篭ったり水が滞留したりするのを防ぐことができる。
【００５６】
更に本例のものは主弁４２と減圧弁５６とをシャワーホース３２に接続された継手管３４の内部に組み込んでいるため、従来の水栓本体（混合部２６）を何ら改変する必要がなく、また吐水装置の組付性も良好となる。
【００５７】
また本例の吐水装置によれば、シャワーヘッド１６に吐止水操作部２２と流調操作部２４とを手元操作部として設けていることから、吐水口１８からの吐止水のみならず流量調節をも手元操作でき、吐水装置の利便性を飛躍的に高めることができる。
【００５８】
更に本例の吐水装置はパイロット弁７８の開閉により主弁４２を開閉操作する形式であって、吐止水操作部２２はそのパイロット弁７８を開閉操作するものであることから、小さい力で軽やかに吐止水操作を行うことができる。
【００５９】
また本例ではパイロット弁７８及び流量調節弁７０をシャワーヘッド１６内部に組み込んでいるため、吐止水操作部２２及び流調操作部２４の近くに対応する各弁７８，７０が位置することとなり、各操作部２２，２４及び弁７０，７８の構造を簡単な構造とすることができ、併せて組付性も良好となる。
【００６０】
以上本発明の実施例を詳述したがこれはあくまで一例示である。
例えば上記実施例における吐止水操作部，流調操作部及びそれらに対応するパイロット弁，流量調節弁は上例以外にも各種形態で構成可能なものである。
図１３ないし図１５はその一例を示したものである。
【００６１】
この例は底付の円筒体をもって吐止水操作部，流調操作部，パイロット弁，流量調節弁を構成している。
同図において１１８はその円筒体で、１２０は吐止水操作部及び流調操作部を兼ねた操作部である。
また１２２及び１２４は同じ円筒体１１８の一部にて構成されたパイロット弁及び流量調節弁である。
【００６２】
パイロット弁１２２には、軸方向の水路１２６と、これに連続した半径方向の小孔から成る開口１２８とを有しており、その開口１２８が、シャワーヘッド１６に形成された周方向に一定長を有する開口１３０（図１５参照）に一致した状態の下でパイロット水路４６を開放し、また操作部１２０の回転操作によって開口１２８が開口１３０に対し不一致となった状態でパイロット水路４６を閉鎖する。
【００６３】
一方流量調節弁１２４は、シャワーヘッド１６側の円形の開口７４とほぼ同形状の開口１３２を有しており、操作部１２０の回転操作によりその開口１３２とシャワーへッド１６側の開口７４との一致部分の拡大若しくは縮小に応じて、吐水口１８からの吐水流量を調節する。
【００６４】
尚、パイロット弁１２２の開口１２８と流量調節弁１２４の開口１３２とは、開口７４及び１３２が全体的及び部分的に一致している間は、開口１２８と開口１３０とが一致した状態に保たれるようにそれらの開口位置が予め選ばれている。
【００６５】
本例の吐水装置の場合、操作部１２０を回転操作してパイロット弁１２２の開口１２８をシャワーヘッド１６側の開口１３０から外れた位置に位置させることで、パイロット水路４６を閉鎖し、吐水口１８からの吐水を停止させることができる。
【００６６】
また開口１２８と１３０とを一致させた状態を維持しながら、操作部１２０の回転操作により流量調節弁１２４の開口１３２とシャワーヘッド１６側の開口７４とを部分的に若しくは全体的に一致させることで、吐水口１８からの吐水流量を増減変化させることができる。
尚他の点については上記実施例と同様である。
【００６７】
上例ではキッチン水栓の吐水管の先端部をシャワーヘッドとして構成し、そのシャワーヘッドに吐止水操作部，流調操作部及びパイロット弁，流量調節弁を設けた場合の例であるが、本発明は他の様々な形態のシャワーヘッドを有する吐水装置、例えば浴室内に設置されるシャワーヘッドを備えた吐水装置にも勿論適用可能なものであるし、或いは洗髪シャワー水栓装置から成る吐水装置にも適用可能である。
【００６８】
また本発明はそのようなシャワーヘッドを有しない通常の吐水管及び水栓本体を備えた吐水装置に対しても適用可能であるなど、その主旨を逸脱しない範囲において種々変更を加えた形態で構成可能である。
【図面の簡単な説明】
【図１】本発明の一実施例である吐水装置の概略全体構成を示す図である。
【図２】図１の吐水装置の要部を示す図である。
【図３】同じ実施例の吐水装置におけるシャワーヘッドと継手管内部の構成を示す断面図である。
【図４】図３に示すシャワーヘッドの要部を拡大して示す図である。
【図５】図３に示す各部の一作用状態を示す図である。
【図６】図３に示す各部の図５とは異なる一作用状態を示す図である。
【図７】図３に示すシャワーヘッド内部の図５及び図６とは異なる一作用状態を示す図である。
【図８】図３における継手管内部の主弁及び減圧弁の一作用状態を示す図である。
【図９】図３のシャワーヘッドに組み込んだ吐止水操作部におけるロック機構の作用説明図である。
【図１０】図３のシャワーヘッド内部のパイロット弁と周辺部の要部分解図である。
【図１１】図３の流量調節弁の要部を示す図である。
【図１２】図１１の流量調節弁の作用説明図である。
【図１３】本発明の他の実施例の吐水装置の要部を示す断面図である。
【図１４】同じ実施例の図１３とは異なる一作用状態を示す図である。
【図１５】同じ実施例の要部を一部切り欠いて示す図である。
【図１６】従来の吐水装置の一例の要部を示す図である。
【図１７】従来の吐水装置の図１６とは異なる一例の要部を示す図である。
【符号の説明】
１４  吐水管
１６  シャワーヘッド
１８  吐水口
２２  吐止水操作部
２４  流調操作部
３２  シャワーホース
３４  継手管
３６  主水路
３８  チューブ
４０  パイプ
４２  主弁
４６  パイロット水路
５６  減圧弁
７０，１２４  流量調節弁
７８，１２２  パイロット弁
１２０  操作部
【図１】
0004142218.tif 000002
【図２】
0004142218.tif 000003
【図３】
0004142218.tif 000004
【図４】
0004142218.tif 000005
【図５】
0004142218.tif 000006
【図６】
0004142218.tif 000007
【図７】
0004142218.tif 000008
【図８】
0004142218.tif 000009
【図９】
0004142218.tif 000010
【図１０】
0004142218.tif 000011
【図１１】
0004142218.tif 000012
【図１２】
0004142218.tif 000013
【図１３】
0004142218.tif 000014
【図１４】
0004142218.tif 000015
【図１５】
0004142218.tif 000016
【図１６】
0004142218.tif 000017
【図１７】
0004142218.tif 000018